(57)【要約】      （修正有）【課題】洗浄から乾燥までの作業を一つの場所で行うことができ、その作業を効率化でき、かつ全体構成を簡易化できる新規な動物用洗浄乾燥システムを提供する。【解決手段】シャワーヘッドから温度調整された水を噴出する水噴出手段３と、体毛に付着した水気の吹き飛ばしを行う強送風手段４と、温風を吹出する体毛乾燥手段５と、前記各手段３、４、５の作動許可及び使用時間を制御する制御部を内蔵する主操作装置１とを少なくとも備え、制御部と各手段３、４、５とが無線ＬＡＮで接続された動物用洗浄乾燥システムＡを提供する。本システムＡでは、動物の洗浄と乾燥の間に、強送風手段４を用いて、体毛に付着した水気の吹き飛ばしを行うことができるため、乾燥するまでの時間を大幅に短縮することができる。また、制御部と各手段３、４、５とを無線ＬＡＮで接続するため、機器間の配線を省略又は簡素化でき、システム全体の構成を簡易化できる。【選択図】図１
0003175437.tif 000002
【実用新案登録請求の範囲】
【請求項１】
シャワーヘッドから温度調整された水を噴出する水噴出手段と、体毛に付着した水気の吹き飛ばしを行う強送風手段と、温風を吹出する体毛乾燥手段と、前記各手段の作動許可及び使用時間を制御する制御部を内蔵する主操作装置と、を少なくとも備え、
前記制御部と前記各手段とが無線ＬＡＮで接続された動物用洗浄乾燥システム。
【請求項２】
コイン投入を検出するコイン作動部を備え、コイン投入により前記いずれかの手段又は全手段の作動が許可される請求項１記載の動物用洗浄乾燥システム。
【請求項３】
下記（１）又は（２）の設定にされた請求項２記載の動物用洗浄乾燥システム。
（１）前記各手段のいずれかを選択した後コインを投入することにより、使用時間の合計が予め設定された時間に達するまで、前記選択した手段の作動が許可される設定。
（２）予め設定された複数の使用時間のうちの一つを選択した後コインを投入することにより、使用時間の合計が前記選択した設定時間に達するまで、前記全手段の一つずつの作動が許可される設定。
【請求項４】
動物の洗い場として設置された浴槽を備え、該浴槽には動物の出入用扉が設けられ、該扉の開閉が検出される構成を備えた請求項１〜３のいずれか一項記載の動物用洗浄乾燥システム。
【請求項５】
前記浴槽に前記水噴出手段及び／又は前記強送風手段が装備された請求項４記載の動物用洗浄乾燥システム。
【請求項６】
前記浴槽内に昇降台が設置され、前記浴槽の底板が昇降可能に形成された請求項４又は請求項５記載の動物用洗浄乾燥システム。
【請求項７】
設置スペースの床面に排水溝が敷設され、該排水溝内には動物の体毛を捕集する籠状体が内設されるとともに、
前記浴槽の排水路が、前記籠状体に形成された流通孔に開口し、
前記設置スペース及び浴槽内に散逸した体毛が前記籠状体に捕集される構成である請求項４〜６記載の動物用洗浄乾燥システム。
【請求項８】
設置スペースの清掃に用いる清掃用水噴出機を備え、前記各手段の作動前及び／又は作動後に前記清掃用水噴出機の所定時間の作動が許可される設定にされた請求項１〜７のいずれか一項記載の動物用洗浄乾燥システム。
【請求項９】
動物の足の洗浄に用いる足洗浄用水噴出機を備え、前記各手段の作動前に足洗浄用水噴出機の所定時間の作動が許可される設定にされた請求項１〜８のいずれか一項記載の動物用洗浄乾燥システム。
【請求項１０】
前記水噴出手段、前記清掃用噴出機、前記足洗浄用水噴出機のいずれか又は複数に、オゾン発生装置が内蔵された請求項１〜９のいずれか一項記載の動物用洗浄乾燥システム。
【請求項１１】
設置スペースの壁面に固定され、略水平方向に旋回可能に形成された第一アームと、略垂直方向に旋回可能に形成された第二アームとを備えた支持部材の先端部分に前記体毛乾燥手段が上下方向及び左右方向に旋回可能に取り付けられ、
前記体毛乾燥手段の吹出口が斜めに開口するとともに回動自在に形成され、
前記設置スペース内に昇降可能な乾燥台が設置された請求項１〜１０のいずれか一項記載の動物用洗浄乾燥システム。
【請求項１２】
前記強送風手段及び／又は前記体毛乾燥手段にマイナスイオン放出装置が内蔵された請求項１〜１１のいずれか一項記載の動物用洗浄乾燥システム。
【考案の詳細な説明】
【技術分野】
【０００１】
本考案は、水噴出手段、強送風手段、並びに体毛乾燥手段と、前記各手段の作動許可及び使用時間を制御する制御部とを備え、該制御部と前記各手段とが無線ＬＡＮで接続された動物用洗浄乾燥システムなどに関連する。
【背景技術】
【０００２】
近年、愛玩などを目的として、犬などの動物を飼育する家庭が増えている。また、室内などで動物を飼育する場合も多く、ヒトと動物が日常的に触れ合う機会も増えている。そのため、動物を定期的に洗浄し、清潔に保つニーズが高まっている。
【０００３】
動物の洗浄乾燥は、多くの場合、家庭の浴室などで行われている。しかし、一般的に、動物はヒトと比較して多くの体毛を有している場合が多いため、動物を洗浄する際には、体毛が多く抜け落ち、排水溝などがつまりやすいという課題がある。また、動物の体毛は水分保持性が高いため、動物の場合、洗浄後、体毛を乾燥させるのに非常に多くの時間と労力がかかる。
【０００４】
それに対し、動物の洗浄乾燥のための専用の設備・施設などがいくつか提案されている。
【０００５】
例えば、特許文献１には、洗浄乾燥台、シャワー装置、ドライヤー装置などが作業室内に設置され、その作業室の出入り口の扉は入室料金を支払うことにより開錠し、かつ遠隔操作により施錠可能になっており、シャワー装置及びドライヤー装置が入室料金に対応する時間利用可能になり、所定時間が経過した後、利用終了の警報を発する警報装置を備える愛犬用洗浄乾燥システムが開示されている。特許文献２には、出入り口を備えた可搬型のメインボックス内に、浴槽、シャワーノズル及びドライヤーノズルが予め設けられたペット入浴ユニットが開示されている。
【特許文献１】特開２００４−３２１１３２号公報
【特許文献２】実用新案登録第３０７２８３０号公報
【考案の開示】
【考案が解決しようとする課題】
【０００６】
本考案は、洗浄から乾燥までの作業を一つの場所で行うことができ、その作業を効率化でき、かつ全体構成を簡易化できる新規な動物用洗浄乾燥手段を提供することなどを目的とする。
【課題を解決するための手段】
【０００７】
本考案では、シャワーヘッドから温度調整された水を噴出する水噴出手段と、体毛に付着した水気の吹き飛ばしを行う強送風手段と、温風を吹出する体毛乾燥手段と、前記各手段の作動許可及び使用時間を制御する制御部を内蔵する主操作装置と、を少なくとも備え、前記制御部と前記各手段とが無線ＬＡＮで接続された動物用洗浄乾燥システムを提供する。
【０００８】
例えば、本システムを用いて、（１）水噴出手段による動物の洗浄、（２）強送風手段による水気の吹き飛ばし、（３）体毛乾燥手段による動物の乾燥の順で、動物の洗浄乾燥の作業を行う。本システムは水噴出手段・強送風手段・体毛乾燥手段の各手段を少なくとも備える構成であるため、洗浄から乾燥までの作業を一つの場所で行うことができる。
【０００９】
また、本システムは強送風手段を備える構成であり、動物の洗浄と乾燥の間に、強送風手段を用いて、体毛に付着した水気の吹き飛ばしを行うことができる。これにより、洗浄後すぐに乾燥させる場合と比較して、乾燥するまでの時間を大幅に短縮することができ、かつ体毛を充分に乾燥させることができる。即ち、動物の洗浄から乾燥までの作業を大幅に効率化できる。
【００１０】
加えて、本システムでは各手段の作動許可及び使用時間を制御する制御部を備えるとともに、制御部と各手段とが無線ＬＡＮで接続される。これにより、機器間の配線を省略又は簡素化できるため、システム全体の構成を簡易化でき、かつ省スペース化できる。また、システム設置の際における複雑な配線工事を省略又は簡素化できるため、設置労力を大幅に軽減できる。
【００１１】
その他、本システムは、コイン投入を検出するコイン作動部を備え、コイン投入により前記いずれかの手段又は全手段の作動が許可される構成にしてもよい。
【００１２】
その場合、例えば、下記（１）又は（２）の設定にすることができる。
（１）前記各手段のいずれかを選択した後コインを投入することにより、使用時間の合計が予め設定された時間に達するまで、前記選択した手段の作動が許可される設定。
（２）予め設定された複数の使用時間のうちの一つを選択した後コインを投入することにより、使用時間の合計が前記選択した設定時間に達するまで、前記全手段の一つずつの作動が許可される設定。
【００１３】
これにより、本システムの使用を有料化・商業化できるとともに、使用者が、使用目的・用途、動物の大きさなどに対応して、使用形態又は使用時間を適宜選択可能な構成にすることができる。
【考案の効果】
【００１４】
本考案により、洗浄から乾燥までの作業を一つの場所で行うことができ、その作業を効率化でき、かつ全体構成を簡易化できる。
【考案を実施するための最良の形態】
【００１５】
以下、図１〜図７を用いて、本考案の実施形態の例を示す。なお、本考案は、これらの実施形態のみに狭く限定されない。
【００１６】
図１は本考案に係る動物用洗浄乾燥システムの全体構造の例を示す模式図、図２は本考案に係る浴槽及び排水溝の構造の例を示す部分断面又は内部模式図、図３は動物用洗浄乾燥システムのシステム構成例を示す図である。
【００１７】
図１〜図３の動物用洗浄乾燥システムＡは、コイン投入、使用手段又は使用時間の選択などを行う主操作装置１と、動物の洗い場として設置された浴槽２と、シャワーヘッドから温度調整された水を噴出する水噴出手段３と、体毛に付着した水気の吹き飛ばしを行う強送風手段４と、温風を吹出する体毛乾燥手段５と、を備え、また、設置スペースＳの清掃に用いる清掃用水噴出機１３、及び、動物の足の洗浄に用いる足洗浄用水噴出機７を備える構成を有する。その他、この動物用洗浄乾燥システムＡでは、設置スペースＳ内に昇降可能な乾燥台６が設置されており、設置スペースＳの床面Ｆに排水溝８が敷設されている。
【００１８】
主操作装置１は、外観上、各種操作及び表示を行う操作表示部１１、清掃用水噴出機１３の作動スイッチ１３１、足洗浄用水噴出機７の作動スイッチ７１を備え、また、各手段３、４、５などの作動許可及び使用時間を制御する制御部１２を内蔵する。
【００１９】
操作表示部１１には、例えば、使用者が動作の選択を行う選択スイッチ１１１と、コイン投入口１１２と、制御部の指示により所定の表示を行う表示部１１３などを配置する。
【００２０】
選択スイッチ１１１を押すと、その信号が制御部１２へ伝達され、制御部１２は投入金額の表示を指示し、表示部１１３にその金額が表示される。コイン投入口１１２にコインを投入すると、コイン作動部がコイン投入を検出し、その信号を制御部１２へ伝達する。制御部１２は残りの必要な投入金額の表示を指示し、表示部１１３にその金額が表示される。必要な金額が投入されると、制御部１２は、設定に基づき、各手段・機器に動作を指示する。
【００２１】
主操作装置１にコイン投入口１１２を配置し、かつコイン作動部及び制御部１２を内蔵することにより、本装置１内で料金を一元的に管理できるため、コインの回収やシステムＡの保守に便利である。また、この構成にすることにより、利用回数のカウントや利用料金の集計管理なども比較的簡易な設定で行うことができる。
【００２２】
その他、例えば、安全管理のため、この主操作装置１に、コイン盗難防止センサーと警報音発生機を取り付け、コインが盗難された場合などに警報音を発生する構成にしてもよい。また、その制御を制御部１２が行う構成にすることもできる。
【００２３】
制御部１２は、各手段３、４、５などの作動許可及び使用時間を制御する部位であり、例えば、ＣＰＵ、メモリ、タイマー、無線信号送受信部などを少なくとも備える。システムＡ内の各手段・機器などから伝送された信号を制御部１２で処理し、設定に従い、各手段・機器に動作を指示する。
【００２４】
なお、図１〜図３の動物用洗浄乾燥システムＡでは、浴槽２、水噴出手段３、強送風手段４、体毛乾燥手段５、乾燥台６、及び足洗浄用水噴出機７にも、ＣＰＵ、メモリ、及び、無線信号送受信部が装備されているため、無線ＬＡＮにより、制御部１２と各手段・機器との間で信号の送受信が可能であり、比較的簡素なシステム構成で、制御部１２が各手段・機器を制御できる。
【００２５】
本考案では、設置スペースの清掃に用いる清掃用水噴出機１３を備え、各手段３、４、５の作動前及び／又は作動後に清掃用水噴出機１３の所定時間の作動が許可される設定にされた構成であってもよい。
【００２６】
清掃用水噴出機１３は、動物の洗浄乾燥の前後に設置スペースＳを清掃するための装置である。例えば、公知のシャワー装置などと同様のものを用いることができる。
【００２７】
制御部１２による作動許可信号が伝送された後、主操作装置１上にある清掃用水噴出機作動スイッチ１３１を押すと、電磁弁が開き、所定時間ノズルから水が噴出する。これにより、床面Ｆを一気に洗い流すことができるため、設置スペースＳ内を清潔に保つことができ、快適に使用できる。
【００２８】
例えば、清掃用水噴出機１３にオゾン発生装置が内蔵された構成にしてもよい。オゾン発生装置を内蔵し、オゾン水を噴出させることにより、設置スペースＳの除菌を行うことができ、不特定多数の動物が当該設備を利用しても、伝染病の発生・伝播を予防できる。また、オゾン水にはアンモニア臭・動物の体臭などの臭い成分を酸素還元分解する機能があるため、設置スペースＳ内の消臭にも有効である。
【００２９】
例えば、図１又は図３のように、主操作装置１内に電磁弁及びオゾン発生装置を設置し、設置スペースＳにおける水供給管を主操作装置１内に配管し、そこに清掃用水噴出機１３の管路を接続するようにしてもよい。この場合、制御部１２が直接、清掃用水噴出機１３の動作を制御する。
【００３０】
本システムＡでは、動物の洗い場として設置された浴槽２を備え、該浴槽２には動物の出入用扉２１が設けられ、該扉２１の開閉が検出される構成を備える。
【００３１】
浴槽２を設置することにより、動物を洗浄などする際に、動物を浴槽２内に閉じ込め、動物を静止させた状態で、作業を行うことができる。また、出入用扉２１を設けることにより、動物を無理なく浴槽２内に移動させることができる。
【００３２】
例えば、浴槽２にも、ＣＰＵ、メモリ、及び、無線信号送受信部が装備され、また、扉開閉センサーを内蔵させる。これにより、扉２１の開閉状態を制御部１２が送信され、例えば、扉２１が開いたままの状態で、他の動作が実行されることを防止できる。また、この場合、制御部１２が扉開閉センサーの起動及び終了を制御する設定にしてもよい。
【００３３】
例えば、図２などに示す通り、本システムＡでは、浴槽２内に昇降台２３が設置され、浴槽２の底板２４が昇降可能に形成されていてもよい。浴槽２の底板２４を昇降可能に形成することにより、作業しやすい高さに動物の位置を調整することができ、また、動物の大きさに合わせて高さを調節できるため、労力を軽減できる。
【００３４】
例えば、制御部１２による作動許可信号が伝送された後、浴槽２の表面に取り付けられた昇降台作動スイッチ２２を押すと、昇降台作動モーター２３１が作動し、昇降シャフト２３２が回転する。その結果、昇降ガイド２３３が昇降シャフト２３２上を移動し、昇降アーム２３４が立ち上がり又は倒れ、台部２３５が略水平に保たれたまま上下に移動する。なお、昇降台２３の作動許可は、制御部１２が制御する構成にすることができる。
【００３５】
例えば、図２などに示す通り、本システムＡでは、浴槽２に水噴出手段３及び／又は強送風手段４が装備された構成でもよい。これにより、システムＡ全体の省スペース化を図ることができる。また、動物の洗浄や水気の吹き飛ばしを浴槽２内で行う場合、この構成であれば、作業位置と各手段３、４の設置位置を近くすることができるため、作業しやすいという利点がある。
【００３６】
水噴出手段３は、動物の洗浄のために、シャワーヘッドから温度調整された水を噴出する部位であり、例えば、公知のシャワー装置などと同様のものを用いることができる。
【００３７】
温度調整は、例えば、給湯管及び給水管と接続し、サーモ式混合水栓により行う。また、湯水混合の割合を手動で調製可能な構成にすることにより、水を噴出しながら温度調整を行うことができる。
【００３８】
本考案では、上記の通り、水噴出手段３にも、ＣＰＵ、メモリ、及び、無線信号送受信部が装備されるため、無線ＬＡＮにより、制御部１２と水噴出手段３との間で、信号の送受信を行うことができる。
【００３９】
例えば、制御部１２による作動許可信号が伝送された後、浴槽２の壁面に取り付けられた水噴出手段作動スイッチ３１を押すと、水噴出手段３に設置された電磁弁が開き、水噴出待機状態となる。そして、シャワーヘッド作動スイッチ３２を押すと、シャワーホース３３を介して、温度調整された水が噴出する。なお、水噴出手段３の作動許可及び使用時間は、制御部１２が制御する構成にすることができる。
【００４０】
例えば、清掃用水噴出機１３と同様、水噴出手段３にオゾン発生装置が内蔵された構成にしてもよい。オゾン発生装置を内蔵し、オゾン水を噴出させることにより、上記と同様、除菌及び脱臭に有効なほか、動物の皮膚病の予防及び皮膚疾患部分の改善、並びに毛並みの改善に有効である。
【００４１】
また、水噴出手段３に高温センサーを内蔵させてもよい。これにより、噴出する水の温度が設定よりも高い時は、水の噴出を停止させることができるため、動物の火傷などの発生を防止できる。
【００４２】
強送風手段４は、動物の洗浄後、体毛の乾燥前に、洗浄で体毛に付着した水気の吹き飛ばしを行うために送風を行う部位であり、例えば、公知のブロア装置などと同様のものを用いることができる。
【００４３】
本考案では、上記の通り、強送風手段４にも、ＣＰＵ、メモリ、及び、無線信号送受信部が装備されるため、無線ＬＡＮにより、制御部１２と強送風手段４との間で、信号の送受信を行うことができる。
【００４４】
例えば、制御部１２による作動許可信号が伝送された後、強送風手段４のノズルに設けられた強送風手段作動スイッチ４１を押すと、大型高出力モーターが駆動してファンを回転させ、ホース４２のノズルの先端部分から強風が送出される。なお、強送風手段４の作動許可及び使用時間は、制御部１２が制御する構成にすることができる。
【００４５】
例えば、強送風手段４のノズルの先端部分が略扁平状に形成されたものを用いてもよい。これにより、狙った部位に風を当てやすくなり、また、より強い風を送ることが可能になる。
【００４６】
例えば、強送風手段４にマイナスイオン放出装置が内蔵された構成にしてもよい。マイナスイオン放出装置を内蔵し、マイナスイオンを含む風を送風することにより、動物のストレスを軽減できる。また、マイナスイオンにより、水粒子が細かくなるため、体毛の保水効果を高めるとともに、余分な水分を素早く蒸発させることができる。これにより、乾燥時間を短縮できる。加えて、毛並みを艶やかに仕上げることができる。その他、設置スペースＳ内に放出されたマイナスイオンが空気中の細かい塵を吸着することにより、設置スペースＳ内の空気を清浄化できる。
【００４７】
体毛乾燥手段５は、動物の体毛を乾かすために温風を吹出する部位であり、例えば、公知のドライヤー装置などと同様のものを用いることができる。
【００４８】
本考案では、上記の通り、体毛乾燥手段５にも、ＣＰＵ、メモリ、及び、無線信号送受信部が装備されるため、無線ＬＡＮにより、制御部１２体毛乾燥手段５との間で、信号の送受信を行うことができる。
【００４９】
例えば、制御部１２による作動許可信号が伝送された後、体毛乾燥手段５の表面に設けられた体毛乾燥手段作動スイッチ５１を押すと、高出力ターボモーターが駆動してファンを回転させ、同時にヒーターが作動し、体毛乾燥手段の吹出口５３から温風が吹出される。なお、体毛乾燥手段５の作動許可及び使用時間は、制御部１２が制御する構成にすることができる。
【００５０】
また、体毛乾燥手段５に高温センサーを内蔵させてもよい。これにより、吹出された温風の温度が設定よりも高い時は、温風の吹出を停止させることができるため、動物の火傷などの発生を防止できる。加えて、高温ヒューズを設置することにより、高温センサーが故障した際にも、動物の火傷などの発生を防止できる。
【００５１】
例えば、体毛乾燥手段５にマイナスイオン放出装置が内蔵された構成にしてもよい。マイナスイオン放出装置を内蔵し、マイナスイオンを含む温風を吹出することにより、上記と同様、動物のストレス軽減、乾燥時間の短縮、設置スペースＳ内の空気の清浄化などに有効である。
【００５２】
本考案では、体毛乾燥手段５をスタンドなどで固定して設置してもよいし、例えば、図１のように、設置スペースＳの壁面Ｗに固定され、略水平方向に旋回可能に形成された第一アーム５２１と、略垂直方向に旋回可能に形成された第二アーム５２２とを備えた支持部材５２の先端部分５２３に体毛乾燥手段５が上下方向及び左右方向に旋回可能に取り付けられた構成にしてもよい。
【００５３】
これにより、体毛乾燥手段５の温風の向きを適宜調整することができ、かつ体毛乾燥手段５をそのままの向きで静止させることができるため、両手を自由に使いながら乾燥作業を行うことができる。また、比較的重量の大きい体毛乾燥手段５を簡易に目的の位置・方向に設置できる。なお、体毛乾燥手段５を壁面Ｗに固定する場合、コンクリートの壁面に、若しくは強固な補強材を用いて設置することが好ましい。
【００５４】
本考案では、体毛乾燥手段５の吹出口５３が斜めに開口するとともに回動自在に形成されていてもよい。これにより、温風が吹出す方向を簡易に調整できるため、作業しやすくできる。
【００５５】
本考案では、設置スペース内に昇降可能な乾燥台が設置された構成であってもよい。
【００５６】
乾燥台６は、体毛乾燥手段５を用いて動物の体毛を乾かす際に、動物を載せる台であり、設置スペースＳ内に設置する。乾燥台６は、動物を載せることができる公知の台であればよく、特に限定されないが、例えば、昇降可能な台であれば、作業しやすい高さに動物の位置を調整することができ、また、動物の大きさに合わせて高さを調節できるため、労力を軽減できる。
【００５７】
例えば、制御部１２による作動許可信号が伝送された後、乾燥台６に設けられた乾燥台昇降作動スイッチ６１を押すと、乾燥台昇降モーター６２が作動・回転し、乾燥台６を昇降させる。なお、乾燥台６の昇降作動許可は、制御部１２が制御する構成にすることができる。
【００５８】
本考案では、動物の足の洗浄に用いる足洗浄用水噴出機７を備え、各手段３、４、５の作動前に足洗浄用水噴出機７の所定時間の作動が許可される設定にされた構成であってもよい。
【００５９】
足洗浄用水噴出機７は、動物の洗浄前などに動物の足を仮洗浄するための装置である。例えば、公知のシャワー装置などと同様のものを用いることができる。
【００６０】
本考案では、足洗浄用水噴出機７にも、ＣＰＵ、メモリ、及び、無線信号送受信部が装備される構成にし、無線ＬＡＮにより、制御部１２と足洗浄用水噴出機７との間で、信号の送受信を行うことができるようにしてもよい。
【００６１】
例えば、制御部１２による作動許可信号が伝送された後、主操作装置１上にある足洗浄用水噴出機作動スイッチ７１を押すと、足洗浄用水噴出機７内に設置された電磁弁が開き、所定時間ノズルから水が噴出する。これにより、動物の洗浄前などに動物の足を仮洗浄することができる。
【００６２】
例えば、清掃用水噴出機１３などと同様、足洗浄用水噴出機７にオゾン発生装置が内蔵された構成にしてもよい。オゾン発生装置を内蔵し、オゾン水を噴出させることにより、上記と同様、除菌及び脱臭に有効である。
【００６３】
本考案では、設置スペースＳの床面Ｆに排水溝８が敷設され、排水溝８内には動物の体毛を捕集する籠状体８２が内設されるとともに、浴槽の排水路２６が、籠状体８２に形成された流通孔８２１に開口し、設置スペースＳ及び浴槽２内に散逸した体毛が籠状体８２に捕集される構成にしてもよい。
【００６４】
図２に示す通り、排水溝８は、床面Ｆに敷設される本体８１と、本体８１に内設する籠状体８２と、籠状体８２の上から排水溝８を塞ぐ蓋体８３とを備え、浴槽２の排水路２６が接続する流通孔８１１が本体８１に形成されるとともに、籠状体８２にも、対応する位置に流通孔８２１が形成され、浴槽の排水路２６が、籠状体８２に形成された流通孔８２１に開口する構成を備える。
【００６５】
そして、動物の洗浄作業などにより浴槽２内に散逸した体毛は、浴槽２の排水口２５を通過して排水路２６を流れ、排水溝８の本体８１及び籠状体８２に形成された流通孔８１１、８２１を通過し、籠状体８２内に捕集される。
【００６６】
一方、設置スペースＳの床面Ｆなどに散逸した体毛は、清掃用水噴出機１３で床面Ｆを清掃する際などに排水溝８の蓋体８３に形成された孔部８３１から籠状体８２内に流入し、捕集される。
【００６７】
従って、設置スペースＳ及び浴槽２内に散逸した体毛を効率よく捕集できる。なお、籠状体８２は取り外し可能なため、体毛の回収・廃棄の作業も簡易に行うことができる。
【００６８】
上記の通り、本考案は、水噴出手段３、清掃用噴出機１３、足洗浄用水噴出機７のいずれか又は複数に、オゾン発生装置が内蔵された構成であってもよい。また、強送風手段４及び／又は体毛乾燥手段５にマイナスイオン放出装置が内蔵された構成であってもよい。
【００６９】
その他、浴槽２及び／又は乾燥台６には、動物を固定するための係止具９１、９２を取り付けてもよい。これにより、動物を確実に固定することができるため、洗浄乾燥作業の労力を軽減できる。
【００７０】
また、動物の体臭が設置スペースＳ内に滞留したり、空気中にペットの体毛・塵などが浮遊したりすることを防止するため、設置スペースＳ内に換気扇を設置してもよい。
【００７１】
設置スペースＳの床面Ｆは、動物が滑りにくい材質で施工することが好ましい。設置スペースＳの床面Ｆ及び壁面Ｗの少なくとも腰高の部分については、防水施工することが好ましい。
【００７２】
本考案では、所定の設置スペースＳ内に各設備を敷設できるので、設置スペースＳ内を独占使用でき、かつ全ての作業を一個室内で行うことができる。そのため、他の個体とのケンカやじゃれ合いを防止し、落ち着いて洗浄作業を行うことができる。
【００７３】
続いて、図４〜図７を用いて、本考案のフローの例を示す。なお、本考案はこれらのフローによる場合のみに狭く限定されない。
【００７４】
図４は、機種確定型に設定された場合、即ち、水噴出手段、強送風手段、体毛乾燥手段のいずれかを選択した後コインを投入することにより、使用時間の合計が予め設定された時間に達するまで、前記選択した手段の作動が許可される設定にされた場合におけるフローの例を示す図である。
【００７５】
使用手段を選択し（符号Ｓ１１）、コインを投入することにより（符号Ｓ１２）、制御部から、浴槽及び乾燥台の作動許可信号が無線ＬＡＮにより送信される（符号Ｓ１３）。
【００７６】
浴槽及び乾燥台では、作動許可信号を受信すると（符号Ｔ１１）、浴槽の扉開閉センサーが作動し、浴槽の昇降台が作動準備を完了して待機状態になり、乾燥台の昇降も作動準備を完了して待機状態になる（符号Ｔ１２）。そして、浴槽の昇降台又は乾燥台の作動スイッチが押されると（符号Ｔ１３、Ｔ１３’）、スイッチが押されている間、浴槽の昇降台又は乾燥台が作動し（符号Ｔ１４、Ｔ１４’）、スイッチを離すと、再び待機状態になる。
【００７７】
一方、制御部では、清掃用水噴出機の作動を許可した後（符号Ｓ２）、又は、そのステップを省略した後、選択した水噴出手段、強送風手段、体毛乾燥手段のいずれかの手段に対し、作動許可信号を無線ＬＡＮにより送信する（符号Ｓ３１）。
【００７８】
選択された手段（符号Ｔ３）は、制御部より作動許可信号を受信し（符号Ｔ３１）、作動準備を完了して待機状態になる。そして、その選択手段の作動スイッチが押されると、その手段が作動するとともに（符号Ｔ３２）、その選択手段の作動情報が制御部に無線ＬＡＮにより送信され、制御部ではタイマーの計測が開始される（符号Ｓ３２）。
【００７９】
選択手段の作動スイッチが再度押され、選択手段が一時停止されると、一時停止情報が制御部に無線ＬＡＮにより送信される（符号Ｔ３４）。制御部では、その一時停止情報を受信した場合（符号Ｓ３３）、タイマーの計測を一時停止し（符号３４）、選択手段の再度の作動情報を待つ。選択手段が再度作動した場合には、同様の手順を繰り返す。
【００８０】
そして、使用時間の合計が予め設定された時間に達した場合（符号Ｓ３５）、制御部から選択手段終了信号が無線ＬＡＮにより当該選択手段に送信される（符号Ｓ３６）。選択手段では、その信号を受信すると、選択手段の全動作が終了となる（符号Ｔ３５）。
【００８１】
その後、制御部は、清掃用水噴出機の作動を許可した後（符号Ｓ６）、浴槽及び乾燥台の作動終了信号を無線ＬＡＮにより送信し（符号Ｓ７）、フローを終了する。その際、選択手段終了信号の送信時（符号Ｓ３６）又は清掃用水噴出機の作動終了時（符号Ｓ６）の後に、タイマー計測のフローを加え、所定時間が経過してから浴槽及び乾燥台の作動終了信号を送信するように設定してもよい。浴槽及び乾燥台では作動終了信号を無線ＬＡＮにより受信し、その作動準備状態を終了する（符号Ｔ１５）。
【００８２】
図５は、定額型に設定された場合、即ち、予め設定された複数の使用時間のうちの一つを選択した後コインを投入することにより、使用時間の合計が選択した設定時間に達するまで、水噴出手段、強送風手段、体毛乾燥手段の全手段の一つずつの作動が許可される設定にされた場合におけるフローの例を示す図である。
【００８３】
使用時間を選択し（符号Ｓ１１）、コインを投入することにより（符号Ｓ１２）、制御部から、浴槽及び乾燥台の作動許可信号が無線ＬＡＮにより送信される（符号Ｓ１３）。浴槽及び乾燥台の作動については、図４と同様である。
【００８４】
制御部では、清掃用水噴出機の作動を許可した後（符号Ｓ２）、又は、そのステップを省略した後、水噴出手段、強送風手段、体毛乾燥手段の全手段に対し、作動許可信号を無線ＬＡＮにより送信する（符号Ｓ３１）。
【００８５】
水噴出手段（符号Ｔ３）、強送風手段（符号Ｔ４）、体毛乾燥手段（符号Ｔ５）の各手段は、制御部より作動許可信号を無線ＬＡＮにより受信し（符号Ｔ３１、Ｔ４１、Ｔ５１）、作動準備を完了して待機状態になる。そして、３つの手段のうち、いずれか一つの手段の作動スイッチが押されると、その手段が作動するとともに（符号Ｔ３２、Ｔ４２、Ｔ５２）、その選択手段の作動情報が制御部に無線ＬＡＮにより送信され、制御部ではタイマーの計測が開始される（符号Ｓ３２）。
【００８６】
その選択手段の作動スイッチが再度押され、その選択手段が一時停止されると、一時停止情報が制御部に無線ＬＡＮにより送信される（符号Ｔ３４、Ｔ４４、Ｔ５４）。制御部では、その一時停止情報を受信した場合（符号Ｓ３３）、タイマーの計測を一時停止し（符号Ｓ３４）、３つの手段のうちのいずれかの手段の再度の作動情報を待つ。３つの手段のうちのいずれかの手段が再度作動した場合には、同様の手順を繰り返す。
【００８７】
そして、使用時間の合計が予め設定された時間に達した場合（符号Ｓ３５）、制御部から全手段終了信号が無線ＬＡＮにより全手段に送信される（符号Ｓ３６）。選択手段では、その信号を受信すると、全手段の全動作が終了となる（符号Ｔ３５、Ｔ４５、Ｔ５５）。その後のステップは、図４と同様である。
【００８８】
図６は、清掃用水噴出機の作動フローの例、即ち、図４及び図５中、符号Ｓ２又は符号６のフローの例を示す図である。
【００８９】
主操作装置に設けられた清掃用水噴出機の作動スイッチを押すと（符号Ｓ２１）、制御部により、電磁弁が開放され、オゾン発生装置が作動し、清掃用水噴出機が作動する（符号Ｓ２２）。同時に制御部のタイマー計測が開始される（符号２３）。
【００９０】
そして、所定時間が経過すると（符号Ｓ２４）、制御部により、電磁弁が閉鎖され、オゾン発生装置が作動終了し、清掃用水噴出機の作動が終了する（符号Ｓ２５）。
【００９１】
図７は、足洗浄用水噴出機の作動フローの例を示す図である。
【００９２】
足洗浄用水噴出機は、例えば、本考案に係る動物用洗浄乾燥システムの作動前に、動物の足を洗浄する目的で使用する。例えば、図４又は図５における動物用洗浄乾燥システムのフローの前に、有料又は無料で行うことができるように設定することができる。
【００９３】
有料の場合はコインを投入した後（符号Ｓ０１）、無料の場合はそのステップを省略して、主操作装置に設けられた足洗浄用水噴出機の作動スイッチを押すと（符号Ｓ０２）、制御部から足洗浄用水噴出機へ作動信号が無線ＬＡＮにより送信される（符号Ｓ０３）。足洗浄用水噴出機は、作動信号を受信すると（符号Ｔ０３）、電磁弁を開放し、オゾン発生装置を作動し、足洗浄用水噴出機を作動する（符号Ｔ０４）。同時にその情報が制御部に無線ＬＡＮにより送信され、制御部のタイマー計測が開始される（符号０４）。
【００９４】
そして、所定時間が経過すると（符号Ｓ０５）、制御部により、足洗浄用水噴出機の作動終了信号が制御部から足洗浄用水噴出機に送信され（符号Ｓ０６）、足洗浄用水噴出機では、その信号を受信すると、電磁弁を閉鎖し、オゾン発生装置を作動終了し、清掃用水噴出機の作動を終了する（符号Ｔ０６）。
【図面の簡単な説明】
【００９５】
【図１】本考案に係る動物用洗浄乾燥システムの全体構造の例を示す模式図。
【図２】本考案に係る浴槽及び排水溝の構造の例を示す部分断面又は内部模式図。
【図３】動物用洗浄乾燥システムのシステム構成例を示す図。
【図４】機種確定型に設定された場合のフローの例を示す図。
【図５】定額型に設定された場合のフローの例を示す図。
【図６】清掃用水噴出機の作動フローの例を示す図。
【図７】足洗浄用水噴出機の作動フローの例を示す図。
【符号の説明】
【００９６】
１          主操作装置
１１        操作表示部
１１１      選択スイッチ
１１２      コイン投入口
１１３      表示部
１２        制御部
１３        清掃用水噴出機
１３１      清掃用水噴出機作動スイッチ
２          浴槽
２１        出入用扉
２２        昇降台作動スイッチ
２３        昇降台
２３１      昇降台作動モーター
２３２      昇降シャフト
２３３      昇降ガイド
２３４      昇降アーム
２３５      台部
２４        底板
２５        排水口
２６        浴槽の排水路
３          水噴出手段
３１        水噴出手段作動スイッチ
３２        シャワーヘッド作動スイッチ
３３        シャワーホース
４          強送風手段
４１        強送風手段作動スイッチ
４２        ホース
４３        大型高出力モーター
５          体毛乾燥手段
５１        体毛乾燥手段作動スイッチ
５２        支持部材
５２１      第一アーム
５２２      第二アーム
５２３      支持部材の先端部分
５３        体毛乾燥手段の吹出口
６          乾燥台
６１        乾燥台昇降スイッチ
６２        乾燥台昇降作動モーター
７          足洗浄用水噴出機
７１        足洗浄用水噴出機作動スイッチ
８          排水溝
８１        本体
８１１      本体に形成された流通孔
８２        籠状体
８２１      籠状態に形成された流通孔
８３        蓋体
８３１      蓋体に形成された孔部
８４        排水路
９１、９２  係止具
Ａ          動物用洗浄乾燥システム
Ｆ          床面
Ｓ          設置スペース
Ｗ          壁面
【図１】
0003175437.tif 000003
【図２】
0003175437.tif 000004
【図３】
0003175437.tif 000005
【図４】
0003175437.tif 000006
【図５】
0003175437.tif 000007
【図６】
0003175437.tif 000008
【図７】
0003175437.tif 000009